(57)【要約】【課題】意匠性の低下の防止及びいたずらに対する保護を図ることができるとともに、筐体からカバーを容易に外すことができるエレベータの操作盤を得る。【解決手段】筐体４の開口部４１を塞ぐカバー５の裏面には、支え部材７が固定されている。支え部材７は、筐体４から離れる方向へのカバー５の変位を許容しながら筐体４内の底面に載せられる。カバー５の裏面には、カバー側係合部９２４ａを有する下部カバー側外れ止め部材９２が設けられている。下部カバー側外れ止め部材９２は、支え部材７が筐体４内の底面に載せられた状態でカバー５が筐体４から離れる方向へ変位されることによりカバー側係合部９２４ａが筐体４内の下部筐体側外れ止め部材９１に係合する非解除位置と、カバー側係合部９２４ａが下部筐体側外れ止め部材９１から上方へ外れる解除位置との間でカバー５に対して変位可能になっている。【選択図】図３
2015221696.tif 000002
【特許請求の範囲】
【請求項１】
開口部を横に向けて配置された筐体、
上記筐体内に固定された第１の筐体側外れ止め部材、
上記筐体内で上記第１の筐体側外れ止め部材から下方へ離して配置され、上記筐体の下部に固定された第２の筐体側外れ止め部材、
裏面を上記筐体に向けて上記開口部を塞ぐカバー、
上記カバーの裏面に固定され、上記筐体から離れる方向への上記カバーの変位を許容しながら上記筐体内の受け部に載せられる支え部材、
第１の係合部を有し、上記第１の係合部を上記カバーの裏面から離した状態で上記カバーの裏面に固定され、上記支え部材が上記受け部に載せられた状態で上記カバーが上記筐体から離れる方向へ変位されることにより上記第１の筐体側外れ止め部材に係合する第１のカバー側外れ止め部材、及び
第２の係合部を有し、上記第２の係合部を上記カバーの裏面から離した状態で上記カバーの裏面に設けられた第２のカバー側外れ止め部材
を備え、
上記第２のカバー側外れ止め部材は、上記支え部材が上記受け部に載せられた状態で上記カバーが上記筐体から離れる方向へ変位されることにより上記第２の係合部が上記第２の筐体側外れ止め部材に係合する非解除位置と、上記第２の係合部が上記第２の筐体側外れ止め部材から上方へ外れる解除位置との間で上記カバーに対して変位可能になっており、
上記第２のカバー側外れ止め部材には、上記非解除位置に向けて力が加わっているエレベータの操作盤。
【請求項２】
上記第１の筐体側外れ止め部材は、上記筐体内の上面から下方へ突出する突出部材である請求項１に記載のエレベータの操作盤。
【請求項３】
上記受け部は、上記筐体内の底面である請求項１又は請求項２に記載のエレベータの操作盤。
【請求項４】
上記第２のカバー側外れ止め部材は、貫通穴が設けられた係合用突出部を有し、
上記係合用突出部のうち上記貫通穴よりも上記カバーの裏面から離れた部分が、上記第２の係合部とされ、
上記支え部材が上記受け部に載せられた状態で上記第２の筐体側外れ止め部材が上記貫通穴に挿入されることにより、上記第２のカバー側外れ止め部材の位置が上記非解除位置になる請求項１〜請求項３のいずれか一項に記載のエレベータの操作盤。
【請求項５】
上記第２のカバー側外れ止め部材は、上記第２の係合部の端部から上記筐体内に向かって上方へ傾斜する係合用案内部をさらに有し、
上記支え部材が上記受け部に載せられた状態で上記係合用案内部が上記第２の筐体側外れ止め部材に接触しながら上記カバーが上記筐体に近づく方向へ変位されることにより、上記第２の係合部が上記第２の筐体側外れ止め部材を乗り越えるようになっている請求項１〜請求項４のいずれか一項に記載のエレベータの操作盤。
【請求項６】
上記第２のカバー側外れ止め部材は、上記第２の係合部よりも下方でかつ上記第２の係合部よりも上記カバーの裏面に近い位置に配置された収容案内用突出部をさらに有し、
上記収容案内用突出部の端部は、上記筐体内に向かって上方へ傾斜する傾斜案内部であり、
上記支え部材が上記受け部に載せられた状態で上記傾斜案内部が上記開口部の下縁部に接触しながら上記カバーが上記筐体に近づく方向へ変位されることにより、上記第２のカバー側外れ止め部材が上記筐体内に収容される方向へ変位されるようになっている請求項１〜請求項５のいずれか一項に記載のエレベータの操作盤。
【請求項７】
上記第２の筐体側外れ止め部材の上端部には、上記開口部とは逆方向へ突出する突起が設けられている請求項１〜請求項６のいずれか一項に記載のエレベータの操作盤。
【発明の詳細な説明】
【技術分野】
【０００１】
この発明は、例えば乗場又はかご内等に設けられるエレベータの操作盤に関するものである。
【背景技術】
【０００２】
従来、乗場又はかご内の壁に埋設されたケースに対して、例えば位置表示器や呼びボタン等の機器が取り付けられたカバーが着脱可能になっているエレベータ用機器箱が知られている。従来のエレベータ用機器箱では、ばねの力でカバーをケースに押し付けてケースの開口部をカバーで塞ぐことにより、ばね及びねじ等がケース外に露出しないようにして意匠性の低下を防止した構造になっている。また、従来のエレベータ用機器箱では、カバーを手前に引くとケース内のピンにばねが引っ掛かってカバーがケースから外れないようにした構造になっている（例えば特許文献１参照）。
【先行技術文献】
【特許文献】
【０００３】
【特許文献１】特開平２−２７６７８２号公報
【発明の概要】
【発明が解決しようとする課題】
【０００４】
しかし、従来のエレベータ用機器箱では、例えば乗客等のいたずらに対してケースからカバーを外れにくくすることができるが、ケース内のピンに引っ掛かったばねを外すのに手間がかかってしまい、例えば保守点検時にカバーをケースから外す作業に手間がかかってしまう。
【０００５】
この発明は、上記のような課題を解決するためになされたものであり、意匠性の低下の防止及びいたずらに対する保護を図ることができるとともに、筐体からカバーを容易に外すことができるエレベータの操作盤を得ることを目的とする。
【課題を解決するための手段】
【０００６】
この発明に係るエレベータの操作盤は、開口部を横に向けて配置された筐体、筐体内に固定された第１の筐体側外れ止め部材、筐体内で第１の筐体側外れ止め部材から下方へ離して配置され、筐体の下部に固定された第２の筐体側外れ止め部材、裏面を筐体に向けて開口部を塞ぐカバー、カバーの裏面に固定され、筐体から離れる方向へのカバーの変位を許容しながら筐体内の受け部に載せられる支え部材、第１の係合部を有し、第１の係合部をカバーの裏面から離した状態でカバーの裏面に固定され、支え部材が受け部に載せられた状態でカバーが筐体から離れる方向へ変位されることにより第１の筐体側外れ止め部材に係合する第１のカバー側外れ止め部材、及び第２の係合部を有し、第２の係合部をカバーの裏面から離した状態でカバーの裏面に設けられた第２のカバー側外れ止め部材を備え、第２のカバー側外れ止め部材は、支え部材が受け部に載せられた状態でカバーが筐体から離れる方向へ変位されることにより第２の係合部が第２の筐体側外れ止め部材に係合する非解除位置と、第２の係合部が第２の筐体側外れ止め部材から上方へ外れる解除位置との間でカバーに対して変位可能になっており、第２のカバー側外れ止め部材には、非解除位置に向けて力が加わっている。
【発明の効果】
【０００７】
この発明に係るエレベータの操作盤によれば、意匠性の低下の防止及びいたずらに対する保護を図ることができるとともに、筐体からカバーを容易に外すことができる。
【図面の簡単な説明】
【０００８】
【図１】この発明の実施の形態１によるエレベータのかご出入口をかご内から見たときの状態を示す正面図である。
【図２】図１のかご操作盤を示す正面図である。
【図３】図２のＩＩＩ−ＩＩＩ線に沿った断面図である。
【図４】図３のカバーの下部をカバーの裏面側から見た状態を示す斜視図である。
【図５】図３のカバーが筐体から離れているときのかご操作盤の上部及び下部を示す断面図である。
【図６】図５のカバーが筐体に対して上方へ変位されたときのかご操作盤を示す断面図である。
【図７】図５の上部カバー側外れ止め部材が上部筐体側外れ止め部材に係合し、下部カバー側外れ止め部材が下部筐体側外れ止め部材から外れているときのかご操作盤を示す断面図である。
【図８】図５の上部カバー側外れ止め部材が上部筐体側外れ止め部材から外れ、下部カバー側外れ止め部材が下部筐体側外れ止め部材から外れているときのかご操作盤を示す断面図である。
【図９】この発明の実施の形態２によるかご操作盤の上部及び下部を示す断面図である。
【発明を実施するための形態】
【０００９】
実施の形態１．
図１は、この発明の実施の形態１によるエレベータのかご出入口をかご内から見たときの状態を示す正面図である。かごには、かごの正面壁を貫通するかご出入口１と、かご出入口１を開閉する複数のかごドア２とが設けられている。また、かごの正面壁には、かご内に露出するかご操作盤（エレベータの操作盤）３が設けられている。かご操作盤３は、かご出入口１の隣に配置されている。
【００１０】
図２は、図１のかご操作盤３を示す正面図である。また、図３は、図２のＩＩＩ−ＩＩＩ線に沿った断面図である。なお、図３では、かご操作盤３の中間部を省略している。かご操作盤３は、図３に示すように、開口部４１が設けられた筐体４と、開口部４１を塞ぐカバー（フェースプレート）５と、カバー５を筐体４に取り付けるための複数（この例では、２つ）の取付機構部６と、カバー５の裏面（カバー５の筐体４に向く面）に固定された複数（この例では、２つ）支え部材７と、かご操作盤３の上部に設けられカバー５が筐体４から外れることを防止する上部外れ止め機構部（第１の外れ止め機構部）８と、かご操作盤３の下部に設けられカバー５が筐体４から外れることを防止する下部外れ止め機構部（第２の外れ止め機構部）９とを有している。
【００１１】
筐体４は、開口部４１を横に向けて配置されている。この例では、開口部４１をかご内に向けて筐体４が水平に配置されている。また、この例では、筐体４が上板４ａ、下板４ｂ、一対の側板及び背板４ｃによって構成され、開口部４１が上板４ａ、下板４ｂ及び各側板で囲まれて形成されている。さらに、この例では、開口部４１の形状が矩形状になっており、開口部４１の長辺を高さ方向に一致させて筐体４が配置されている。
【００１２】
カバー５は、開口部４１よりも大きなプレートである。この例では、カバー５の形状が開口部４１の形状に合わせた矩形状になっており、カバー５の長辺を高さ方向に一致させてカバー５が筐体４を塞いでいる。カバー５は、カバー５の表面及び裏面のうち裏面を筐体４に向けて開口部４１を塞いでいる。カバー５には、図２に示すように、エレベータの運行情報をかご内に表示する表示器（かご内表示器）５１と、かご内から操作可能な複数の操作ボタン（例えば行き先階ボタン、戸開ボタン及び戸閉ボタン等）５２とが設けられている。
【００１３】
各取付機構部６は、かご操作盤３の高さ方向について互いに離して配置されている。また、各取付機構部６は、筐体４内に固定されたピン６１と、ピン６１が挿入されるスリット６２が設けられカバー５の裏面に固定された固定プレート６３と、スリット６２の位置に合わせてカバー５の裏面に固定された取付用ばね（弾性体）６４とを有している。
【００１４】
ピン６１は、筐体４の側板から筐体４の幅方向に沿って突出している。固定プレート６３は、カバー５の裏面に対して垂直に立てられた状態でカバー５の長辺に沿って配置されている。スリット６２は、カバー５の裏面から離れた側の端部で開放されている。取付用ばね６４は、略Ｓ字状に曲げて形成されている。
【００１５】
かご操作盤３では、スリット６２に挿入させたピン６１に取付用ばね６４を接触させて、取付用ばね６４を弾性変形させながらカバー５を筐体４に近づく方向へ押し込むことにより、カバー５が開口部４１を塞ぐ位置に変位される。カバー５が開口部４１を塞ぐ位置に変位されると、取付用ばね６４の弾性復元力により取付用ばね６４とピン６１と係合した状態が保たれ、カバー５が筐体４に保持される。また、筐体４から離れる方向への力がカバー５に加わると、取付用ばね６４がピン６１によって弾性変形しながらカバー５が筐体４から離れる方向へ変位される。
【００１６】
図４は、図３のカバー５の下部をカバー５の裏面側から見た状態を示す斜視図である。各支え部材７は、カバー５の下部に固定されている。また、各支え部材７は、カバー５の幅方向（カバー５の短辺方向）について互いに離して配置されている。各支え部材７は、カバー５の裏面に重なる固定板部７１と、固定板部７１の下端部から筐体４内（背板４ｃ）に向けて突出する載せ板部７２とを有している。この例では、各支え部材７の形状が固定板部７１及び載せ板部７２によりＬ字状になっている。
【００１７】
カバー５の裏面には、複数のスタッドボルトが溶接等で固定されている。支え部材７は、固定板部７１のボルト通し穴を通されたスタッドボルトと、スタッドボルトに螺合された固定ナットとによって、カバー５の裏面に固定されている。
【００１８】
各載せ板部７２は、カバー５の裏面に対して垂直に配置されている。カバー５の長辺に沿った方向についての各載せ板部７２の位置は、互いに同じ位置になっている。各載せ板部７２は、図３に示すように、筐体４内の支持部である筐体４内の底面（下板４ｂの上面）に摺動可能に載せられている。即ち、支え部材７は、筐体４から離れる方向（筐体４の奥行き方向）へのカバー５の変位を許容しながら筐体４内の底面に載せられている。支え部材７が筐体４内の底面に載せられている状態では、筐体４に対するカバー５の下方への変位が阻止される。
【００１９】
上部外れ止め機構部８は、図３に示すように、筐体４内に固定された上部筐体側外れ止め部材（第１の筐体側外れ止め部材）８１と、カバー５の裏面に固定された上部カバー側外れ止め部材（第１のカバー側外れ止め部材）８２とを有している。
【００２０】
上部筐体側外れ止め部材８１は、筐体４の上部に固定されている。また、上部筐体側外れ止め部材８１は、筐体４内の上面（上板４ａの下面）から下方へ突出する板状又は棒状の突出部材である。上部筐体側外れ止め部材８１の下方には、筐体４内の空間が存在している。
【００２１】
上部カバー側外れ止め部材８２は、カバー５の上部に固定されている。また、上部カバー側外れ止め部材８２は、カバー５の裏面に重なる板状の固定部（第１の固定部）８２ａと、カバー５の裏面から離して配置された板状の係合部（第１の係合部）８２ｂと、固定部８２ａ及び係合部８２ｂ間を連結する板状の連結部（第１の連結部）８２ｃとを有している。固定部８２ａは、カバー５の裏面に溶接等により固定されている。この例では、上部カバー側外れ止め部材８２の形状が固定部８２ａ、係合部８２ｂ及び連結部８２ｃにより略Ｕ字状になっている。
【００２２】
係合部８２ｂは、カバー５の裏面と平行に配置されている。支え部材７が筐体４内の底面に載せられてカバー５が開口部４１を塞いでいる状態では、筐体４内で係合部８２ｂが上部筐体側外れ止め部材８１よりも開口部４１から離れた位置に配置されている。即ち、カバー５が開口部４１を塞いでいる状態では、カバー５からみて係合部８２ｂが上部筐体側外れ止め部材８１よりも筐体４内の奥側（背板４ｃに近い側）に配置されている。
【００２３】
支え部材７が筐体４内の底面に載せられている状態では、筐体４内の上面（上板４ａの下面）と上部カバー側外れ止め部材８２との間に隙間が生じている。上部カバー側外れ止め部材８２が上板４ａに下から係合すると、筐体４に対するカバー５の上方への変位が阻止される。支え部材７が筐体４内の底面に載せられた状態でカバー５が筐体４から離れる方向へ変位されると、係合部８２ｂが上部筐体側外れ止め部材８１に係合する。
【００２４】
下部外れ止め機構部９は、筐体４内に固定された下部筐体側外れ止め部材（第２の筐体側外れ止め部材）９１と、カバー５の裏面に設けられた下部カバー側外れ止め部材（第２のカバー側外れ止め部材）９２とを有している。
【００２５】
下部筐体側外れ止め部材９１は、上部筐体側外れ止め部材８１から下方へ離して筐体４の下部に固定されている。また、下部筐体側外れ止め部材９１は、筐体４の背板４ｃに重なる板状の筐体側固定部９１ａと、背板４ｃから開口部４１側に離して配置された板状の筐体側係合部９１ｂと、筐体側固定部９１ａの上端部及び筐体側係合部９１ｂの下端部間を連結する板状の筐体側連結部９１ｃとを有している。これにより、この例では、下部筐体側外れ止め部材９１の形状が、筐体側固定部９１ａ、筐体側係合部９１ｂ、筐体側連結部９１ｃによって略Ｚ字状になっている。
【００２６】
筐体４の背板４ｃには、開口部４１に向けて突出するスタッドボルトが溶接等により固定されている。筐体側固定部９１ａには、背板４ｃに固定されたスタッドボルトが通されるボルト通し穴が設けられている。筐体側固定部９１ａは、筐体側固定部９１ａのボルト通し穴に通されたスタッドボルトと、スタッドボルトに螺合された固定ナットとによって背板４ｃに固定されている。筐体側係合部９１ｂは、筐体側連結部９１ｃから上方へ突出して背板４ｃと平行に配置されている。筐体側連結部９１ｃは、筐体４内の底面と平行に配置されている。
【００２７】
下部カバー側外れ止め部材９２は、上部カバー側外れ止め部材８２からカバー５の長辺方向へ離してカバー５の下部に設けられている。また、下部カバー側外れ止め部材９２は、図４に示すように、一対の支え部材７間に配置されている。さらに、下部カバー側外れ止め部材９２は、カバー５に対して上下方向（即ち、カバー５の長辺に沿った方向）へ変位可能になっている。下部カバー側外れ止め部材９２の幅寸法（カバー５の幅方向についての下部カバー側外れ止め部材９２の寸法）は、下部筐体側外れ止め部材９１の幅寸法（筐体４の幅方向についての下部筐体側外れ止め部材９１の寸法）よりも大きくなっている。
【００２８】
下部カバー側外れ止め部材９２は、カバー５の裏面に重なる板状の重ね部９２１と、重ね部９２１の上端部から筐体４内（即ち、カバー５と反対側）に向けて突出する板状の係合用突出部９２４と、係合用突出部９２４の端部から筐体４内に向けて上方へ傾斜する板状の係合用案内部９２５と、重ね部９２１の下端部から筐体４内（即ち、カバー５と反対側）に向けて突出する板状の収容案内用突出部９２３とを有している。
【００２９】
重ね部９２１には、一対の長穴９３が上下方向（即ち、カバー５の長辺に沿った方向）に設けられている。一対の長穴９３は、カバー５の幅方向について互いに離して設けられている。カバー５の裏面には、各長穴９３にそれぞれ通された一対のスタッドボルトが溶接等により固定されている。長穴９３に通されたスタッドボルトには、重ね部９２１がスタッドボルトから外れることを防止する外れ止めナットが螺合されている。
【００３０】
重ね部９２１は、長穴９３に沿った方向へスタッドボルトに案内されながらカバー５の裏面に沿って上下方向へ変位される。下部カバー側外れ止め部材９２は、重ね部９２１が長穴９３に沿った方向へ変位されることにより、非解除位置（図５）と、非解除位置よりも上方の解除位置（図７）との間でカバー５の裏面に沿って変位可能になっている。下部カバー側外れ止め部材９２には、下部カバー側外れ止め部材９２の自重（重力）が非解除位置に向けて加わっている。
【００３１】
係合用突出部９２４は、支え部材７の載せ板部７２と平行に配置されている。係合用突出部９２４には、係合用突出部９２４を上下に貫通する貫通穴９４が設けられている。この例では、貫通穴９４の形状が矩形状になっている。貫通穴９４の大きさは、筐体側係合部９１ｂが挿入可能な大きさになっている。
【００３２】
係合用突出部９２４のうち貫通穴９４よりもカバー５から離れた部分は、カバー側係合部（第２の係合部）９２４ａになっている。即ち、貫通穴９４は、カバー側係合部９２４ａのカバー５に近い側でカバー側係合部９２４ａと隣接している。これにより、カバー側係合部９２４ａは、貫通穴９４を介してカバー５の裏面から離して配置されている。貫通穴９４には、筐体側係合部９１ｂが下方から挿入可能になっている。
【００３３】
下部カバー側外れ止め部材９２の位置が非解除位置になると、支え部材７が筐体４内の底面に載せられた状態でカバー５が筐体４から離れる方向へ変位されることにより、カバー側係合部９２４ａが筐体側係合部９１ｂに係合する。これにより、支え部材７が筐体４内の底面から外れることが阻止される。一方、下部カバー側外れ止め部材９２の位置が解除位置になると、支え部材７が筐体４内の底面に載せられた状態でもカバー側係合部９２４ａが筐体側係合部９１ｂから上方へ外れる。これにより、下部カバー側外れ止め部材９２の位置を解除位置にしたままカバー５を筐体４から離れる方向へ変位させると、支え部材７が筐体４内の底面から外れる。
【００３４】
また、係合用案内部９２５の上端部の位置は、支え部材７が筐体４内の底面に載せられた状態で下部カバー側外れ止め部材９２が解除位置の下方の非解除位置に変位されても、筐体側係合部９１ｂの上端部（下部筐体側外れ止め部材９１の上端部）よりも高い位置に保たれる。
【００３５】
収容案内用突出部９２３は、係合用突出部９２４よりも下方に配置され、かつカバー側係合部９２４ａよりもカバー５に近い位置に配置されている。また、収容案内用突出部９２３の端部は、筐体４内に向かって上方へ傾斜する板状の傾斜案内部９２３ａになっている。
【００３６】
支え部材７が筐体４内の底面に載せられた状態では、下部カバー側外れ止め部材９２の位置が非解除位置になると、傾斜案内部９２３ａの上端部と下端部との間の範囲に開口部４１の下縁部が入る高さ位置に収容案内用突出部９２３が変位され、下部カバー側外れ止め部材９２の位置が解除位置になると、傾斜案内部９２３ａの位置が開口部４１の下縁部よりも高くなる位置に収容案内用突出部９２３が変位される。
【００３７】
支え部材７が筐体４内の底面に載せられてカバー５が開口部４１を塞いでいる状態では、筐体４内でカバー側係合部９２４ａが筐体側係合部９１ｂよりも開口部４１から離れた位置（即ち、筐体側係合部９１ｂよりも奥側の位置）に配置されている。また、支え部材７が筐体４内の底面に載せられてカバー５が開口部４１を塞いでいる状態では、収容案内用突出部９２３が筐体４内の底面に載せられている。
【００３８】
次に、カバー５が開口部４１を塞いでいる状態から、筐体４から離れる方向へカバー５を引いたときの動作について説明する。図５は、図３のカバー５が筐体４から離れているときのかご操作盤３の上部及び下部を示す断面図である。カバー５を手前に引いてカバー５が筐体４から離れる方向へ変位されると、各取付機構部６の取付用ばね６４とピン６１との係合が外れる。
【００３９】
この後、カバー５が筐体４から離れる方向へさらに変位されると、収容案内用突出部９２３が筐体４内の底面から外れて、下部カバー側外れ止め部材９２が自重（重力）で下方の非解除位置へ変位される。これにより、筐体側係合部９１ｂが貫通穴９４に入る。このとき、支え部材７は、筐体４内の底面に載せられたままになっている。
【００４０】
この後、カバー５が筐体４から離れる方向へさらに変位されると、図５に示すように、上部外れ止め機構部８において係合部８２ｂが筐体側外れ止め部材８１に係合するとともに、下部外れ止め機構部９においてカバー側係合部９２４ａが筐体側係合部９１ｂに係合する。このときにも、支え部材７が筐体４内の底面に載せられたままになっている。これにより、支え部材７が筐体４内の底面から外れることが阻止され、カバー５が筐体４から外れることが防止される。
【００４１】
図６は、図５のカバー５が筐体４に対して上方へ変位されたときのかご操作盤３を示す断面図である。図６に示すように、カバー５を筐体４から外すためにカバー５を上方に持ち上げたとしても、上部カバー側外れ止め部材８２が筐体４の上板４ａに係合してカバー５の上方への変位が阻止される。これにより、係合用突出部９２４が筐体側係合部９１ｂから外れることが防止され、カバー側係合部９２４ａと筐体側係合部９１ｂとの係合が外れることが防止される。
【００４２】
次に、カバー５を筐体４から外すときの手順について説明する。図７は、図５の上部カバー側外れ止め部材８２が上部筐体側外れ止め部材８１に係合し、下部カバー側外れ止め部材９２が下部筐体側外れ止め部材９１から外れているときのかご操作盤３を示す断面図である。また、図８は、図５の上部カバー側外れ止め部材８２が上部筐体側外れ止め部材８１から外れ、下部カバー側外れ止め部材９２が下部筐体側外れ止め部材９１から外れているときのかご操作盤３を示す断面図である。
【００４３】
カバー５を筐体４から外すときには、カバー５を手前に引いて、カバー側係合部９２４ａが筐体側係合部９１ｂに係合するまで、筐体４から離れる方向へカバー５を変位させる。この後、下部カバー側外れ止め部材９２の自重に逆らって下部カバー側外れ止め部材９２を非解除位置から解除位置まで下方から押し上げる。このとき、下部カバー側外れ止め部材９２の位置がカバー５の下端部にまで下がっているので、道具を用いることなく下部カバー側外れ止め部材９２を容易に押し上げることができる。これにより、カバー側係合部９２４ａが筐体側係合部９１ｂから上方へ外れる。
【００４４】
この後、下部カバー側外れ止め部材９２を解除位置に押し上げたままカバー５を手前に引いて、筐体４から離れる方向へカバー５をさらに変位させる。これにより、図７に示すように、支え部材７が筐体４内の底面から筐体４の外側へ外れ、筐体４に対するカバー５の下方への変位が可能になる。
【００４５】
この後、図８に示すように、カバー５を筐体４に対して下方へずらすことにより、上部筐体側外れ止め部材８１と係合部８２ｂとの係合を外す。このようにして、カバー５を筐体４から外す。
【００４６】
カバー５を筐体４に取り付けるときには、まず、上部筐体側外れ止め部材８１よりも筐体４内の奥側（背板４ｃ側）に係合部８２ｂを挿入した状態で、支え部材７を筐体４内の底面に載せる。この後、支え部材７を筐体４内の底面に摺動させながらカバー５を開口部４１に向けて押し込む。これにより、ピン６１がスリット６２に挿入されながら取付用ばね６４がピン６１に押されて弾性変形され、取付用ばね６４がピン６１に係合する。
【００４７】
カバー５が筐体４の開口部４１に向けて押し込まれるときには、係合用案内部９２５が筐体側係合部９１ｂに接触しながらカバー５が筐体４に近づく方向へ変位されることにより、下部カバー側外れ止め部材９２が非解除位置から解除位置に向けて押し上げられる。この後、カバー５が開口部４１に向けてさらに押し込まれると、カバー側係合部９２４ａが筐体側係合部９１ｂを乗り越えて、下部カバー側外れ止め部材９２が自重で下方の非解除位置へ変位される。これにより、筐体側係合部９１ｂが貫通穴９４に挿入される。
【００４８】
この後、カバー５が開口部４１に向けてさらに押し込まれると、傾斜案内部９２３ａが開口部４１の下縁部（下板４ｂ）に接触しながらカバー５が筐体４に近づく方向へ変位されることにより、筐体４内に収容される方向へ下部カバー側外れ止め部材９２が押し上げられる。この後、収容案内用突出部９２３が筐体４内の底面に載ることにより下部カバー側外れ止め部材９２が筐体４内に収容され、開口部４１を塞ぐ位置にカバー５が取り付けられる。
【００４９】
このようなかご操作盤３では、カバー５の裏面に設けられた下部カバー側外れ止め部材９２が、支え部材７が筐体４内の底面に載せられながらカバー５が筐体４から離れる方向へ変位されることによりカバー側係合部９２４ａが筐体側係合部９１ｂに係合する非解除位置と、カバー側係合部９２４ａが筐体側係合部９１ｂから上方へ外れる解除位置との間でカバー５に対して変位可能になっているので、カバー５を単に手前に引いただけでは、カバー側係合部９２４ａが筐体側係合部９１ｂに係合することによりカバー５が筐体４から外れないようにすることができる。これにより、いたずらでは筐体４からカバー５を容易に外せないようにすることができ、いたずらに対する保護を図ることができる。また、カバー５を筐体４から離した状態で下部カバー側外れ止め部材９２を上方へ押し上げるだけでカバー５を筐体４から外すことができるので、正しい手順に従うことによりカバー５を筐体４から容易に外すことができる。さらに、上部カバー側外れ止め部材８２及び下部カバー側外れ止め部材９２がカバー５の裏面に設けられているので、上部カバー側外れ止め部材８２及び下部カバー側外れ止め部材９２がカバー５の表面に露出することを防止することができ、かご操作盤３の意匠性の低下を防止することができる。
【００５０】
また、上部筐体側外れ止め部材８１は、筐体４内の上面から下方へ突出する突出部材であるので、上部筐体側外れ止め部材８１を簡単な構成にすることができる。
【００５１】
また、支え部材７を載せる受け部として筐体４内の底面が用いられているので、筐体４内に受け部を新たに取り付ける必要がなくなり、筐体４の構成を簡単にすることができる。
【００５２】
また、係合用突出部９２４には、筐体側係合部９１ｂが挿入される貫通穴９４が設けられているので、係合用突出部９２４の製造を容易にすることができるとともに、係合用突出部９２４の強度の向上を図ることができる。
【００５３】
また、係合用突出部９２４には、カバー側係合部９２４ａの端部から筐体４内に向かって上方へ傾斜する係合用案内部９２５が設けられているので、筐体側係合部９１ｂに係合用案内部９２５を接触させながらカバー５を開口部４１に近づく方向へ変位させることにより、カバー側係合部９２４ａが筐体側係合部９１ｂを乗り越えるようにすることができる。これにより、カバー５を筐体４の開口部４１に向けて押し込むだけで、カバー側係合部９２４ａを筐体側係合部９１ｂよりも筐体４内の奥側（背板４ｃ側）に容易に挿入することができる。
【００５４】
また、下部カバー側外れ止め部材９２は、カバー側係合部９２４ａよりも下方でかつカバー側係合部９２４ａよりもカバー５に近い位置に配置された収容案内用突出部９２３を有し、収容案内用突出部９２３の端部は、筐体４内に向かって上方へ傾斜する傾斜案内部９２３ａになっているので、開口部４１の下縁部に傾斜案内部９２３ａを接触させながらカバー５を開口部４１に近づく方向へ変位させることにより、筐体４内に収容する方向へ下部カバー側外れ止め部材９２を変位させることができる。これにより、カバー５を筐体４の開口部４１に向けて押し込むだけで、下部カバー側外れ止め部材９２を筐体４内に容易に収容することができる。
【００５５】
実施の形態２．
図９は、この発明の実施の形態２によるかご操作盤の上部及び下部を示す断面図である。なお、図９では、カバー５が筐体４から離れ、かつ係合部８２ｂが上部筐体側外れ止め部材８１に係合し、カバー側係合部９２４ａが筐体側係合部９１ｂに係合している状態が示されている。筐体側係合部９１ｂの上端部（下部筐体側外れ止め部材９１の上端部）には、開口部４１とは逆方向（即ち、背板４ｃ側）へ突出する突起９１ｄが設けられている。他の構成は実施の形態１と同様である。
【００５６】
カバー５を筐体４から外すときには、まず実施の形態１と同様にして、カバー側係合部９２４ａが筐体側係合部９１ｂに係合するまで、筐体４から離れる方向へカバー５を変位させる。この後、下部カバー側外れ止め部材９２の自重に逆らって下部カバー側外れ止め部材９２を非解除位置から解除位置まで下方から押し上げる。このとき、カバー側係合部９２４ａが突起９１ｄに引っ掛からないように、カバー５を筐体４に近づけながら下部カバー側外れ止め部材９２を押し上げる。これにより、カバー側係合部９２４ａが筐体側係合部９１ｂから上方へ外れる。この後の手順は実施の形態１と同様である。
【００５７】
このようなかご操作盤３では、開口部４１とは逆方向へ突出する突起９１ｄが筐体側係合部９１ｂの上端部に設けられているので、カバー５を筐体４から引き出しすぎると、下部カバー側外れ止め部材９２を解除位置に向けて押し上げても、カバー側係合部９２４ａが突起９１ｄに引っ掛かって下部カバー側外れ止め部材９２が下部筐体側外れ止め部材９１から外れないようにすることができる。これにより、いたずらに対して筐体４からカバー５をさらに外れにくくすることができ、いたずらに対する保護の強化をさらに図ることができる。
【００５８】
なお、各上記実施の形態では、支え部材７が載せられる受け部が筐体４内の底面になっているが、これに限定されず、例えば筐体４の奥行き方向に沿った一対のレール（受け部）を筐体４内の両側面に固定し、一対のレールに支え部材７を載せてもよい。
【００５９】
また、各上記実施の形態では、係合用突出部９２４に貫通穴９４が設けられ、係合用突出部９２４のうち貫通穴９４よりもカバー５から離れた部分がカバー側係合部９２４ａになっているが、係合用突出部９２４の構成を例えば上部カバー側外れ止め部材８２の構成と同じ構成としてもよい。即ち、係合用突出部９２４の形状を略Ｕ字状としてもよい。
【００６０】
また、各上記実施の形態では、下部カバー側外れ止め部材９２が自重で非解除位置へ変位されるようになっているが、下部カバー側外れ止め部材９２にばね（弾性体）の弾性復元力を非解除位置に向けて加えてもよい。このようにすれば、下部カバー側外れ止め部材９２を非解除位置へより確実に変位させることができる。
【００６１】
また、各上記実施の形態では、カバー側係合部９２４ａを筐体側係合部９１ｂよりも筐体４内の奥側に挿入しやすくするために係合用案内部９２５がカバー側係合部９２４ａの端部に設けられているが、下部カバー側外れ止め部材９２を解除位置に押し上げておけば、カバー側係合部９２４ａを筐体側係合部９１ｂよりも筐体４内の奥側に挿入することができるので、係合用案内部９２５はなくてもよい。
【００６２】
また、各上記実施の形態では、下部カバー側外れ止め部材９２を筐体４内に収容しやすくするために傾斜案内部９２３ａが下部カバー側外れ止め部材９２に含まれているが、下部カバー側外れ止め部材９２を押し上げておけば、下部カバー側外れ止め部材９２を筐体４内に収容することができるので、傾斜案内部９２３ａはなくてもよい。
【００６３】
また、各上記実施の形態では、かご内に設けられたかご操作盤３にこの発明が適用されているが、乗場に設けられた乗場操作盤にこの発明を適用してもよい。
【符号の説明】
【００６４】
４  筐体、５  カバー、７  支え部材、４１  開口部、８１  上部筐体側外れ止め部材（第１の筐体側外れ止め部材）、８２  上部カバー側外れ止め部材（第１のカバー側外れ止め部材）、８２ｂ  係合部（第１の係合部）、９１  下部筐体側外れ止め部材（第２の筐体側外れ止め部材）、９１ｄ  突起、９２  下部カバー側外れ止め部材）、９４  貫通穴、９２３  収容案内用突出部、９２３ａ  傾斜案内部、９２４  係合用突出部、９２４ａ  カバー側係合部（第２の係合部）、９２５  係合用案内部。
【図１】
2015221696.tif 000003
【図２】
2015221696.tif 000004
【図３】
2015221696.tif 000005
【図４】
2015221696.tif 000006
【図５】
2015221696.tif 000007
【図６】
2015221696.tif 000008
【図７】
2015221696.tif 000009
【図８】
2015221696.tif 000010
【図９】
2015221696.tif 000011